(57)【特許請求の範囲】
【請求項１】
床パンの下面部を建物の梁間に架設した架台に載設支持する床パンの支持構造において、床パンの下面部に支持脚を取付け、この支持脚の下端面部を架台への載設面部とし、載設面部の巾を架台の巾よりも巾広とすると共に載設面部の巾方向の両端部に下方に向けて脱落防止用の下向き片を突設した床パンの支持構造であって、支持脚の架台の上面に載設される載設面部の両端部から側片を上側に向けて突設し、該支持脚の両側片の上端部に外側方に向けて固定片を突設し、床パンの下面部に対のねじ具固着用突部及び該ねじ具固着用突部間に位置して床パンの上下に開口してスラブや基礎上に載置される支持ボルトを螺合可能な筒部を設け、前記支持脚の各固定片を対のねじ具固着具用突部にねじ具により固着して取付けて成ることを特徴とする床パンの支持構造。
【請求項２】
架台の上面部にスペーサを載設し、水平片の両端部に下方に向けてスペーサ脱落防止片を突設したスペーサ脱落防止部材を構成し、このスペーサ脱落防止部材の水平片をスペーサの上に載設すると共にスペーサ脱落防止片の下端を架台の側面に対向させ、上記スペーサ、スペーサ脱落防止部材の水平片を介して架台上に支持脚の載設面部を載設して成ることを特徴とする請求項１記載の床パンの支持構造。
【発明の詳細な説明】
【０００１】
【発明の属する技術分野】
本発明は、床パンを架台に載設支持するための技術に関するものである。
【０００２】
【従来の技術】
従来から、多層階の建物において上階に浴室ユニットを形成するために床パンを配設するには、図４に示すように建物の梁１３間に架台２を架設し、この架台２の上に床パンを載設するようにしていた。
【０００３】
建物の梁１３間に架設する架台２は、断面四角形状をした角型鋼管のような横架材の両端部に略Ｌ状をした引っ掛け固定部を上方に向けて突設して構成してある。そして、架台２の両端部の略Ｌ状をした引っ掛け固定部１５の横片１５ａを対向する梁１３の上面にそれぞれ載設して固着具により固着することで架台２を梁１３間に架設してある。
【０００４】
架台２に床パンを載設するには床パンの下面に下方に向けて支持脚を突設し、この支持脚を架台２の横架材１４の上面に載設していた。
【０００５】
ところが、支持脚を架台２に載設しただけでは支持脚が架台２に対して滑ると架台２から支持脚が滑り落ちるという問題があり、また、この載設作業を多層階の建物において高所である上階で行うので、支持脚の架台２への載設作業がし難いという問題がある。
【０００６】
また、現場において床パンの高さ調整を行うに当たっても、従来は支持脚自体で高さ調整を行うようになっていたので、支持脚の構造が複雑となるという問題がある。そこで、架台２と支持脚との間にスペーサを介在することが考えられるが、スペーサを単に架台２に載設しただけではスペーサが架台２から滑り落ちるという問題がある。
【０００７】
【発明が解決しようとする課題】
本発明は上記の点に鑑みてなされたものであり、架台に支持脚を載設した際に架台に対して支持脚が滑り落ちるのが防止でき、上階という高所における作業であっても架台への支持脚の載設作業が容易に行え、また、簡単な構成で高さ調整もでき、更に、高さ調整に当たって、簡単な構成でスペーサが滑り落ちないようにできる床パンの支持構造を提供することを課題とするものである。
【０００８】
【課題を解決するための手段】
上記課題を解決するために本発明に係る床パンの支持構造は、床パン１の下面部を建物の梁１３間に架設した架台２に載設支持する床パン１の支持構造において、床パン１の下面部に支持脚３を取付け、この支持脚３の下端面部を架台２への載設面部４とし、載設面部４の巾を架台２の巾よりも巾広とすると共に載設面部４の巾方向の両端部に下方に向けて脱落防止用の下向き片５を突設した床パンの支持構造であって、支持脚３の架台２の上面に載設される載設面部４の両端部から側片１０を上側に向けて突設し、該支持脚３の両側片１０の上端部に外側方に向けて固定片３１を突設し、床パン１の下面部に対のねじ具固着用突部１１及び該ねじ具固着用突部１１間に位置して床パン２の上下に開口してスラブ２０や基礎上に載置される支持ボルト１８を螺合可能な筒部１６を設け、前記支持脚３の各固定片３１を対のねじ具固着具用突部１１にねじ具１２により固着して取付けて成ることを特徴とするものである。このような構成とすることで、架台２の上面に床パン１の下面部に取付けた支持脚３の載設面部４を載設して架台２に床パン１を支持するのであるが、この場合、脱落防止用の下向き片５の存在により架台２の上面の巾方向の一部にのみ載設面部４が載設されるというようなことがなくて架台２の上面の巾方向の全巾にわたって載設面部４が載設されて確実に支持脚３が架台２上に載設されることになり、また、脱落防止用の下向き片５により載設面部４が架台２の上面から滑り落ちるのが防止できるものである。
【０００９】
また、架台２の上面部にスペーサ６を載設し、水平片７の両端部に下方に向けてスペーサ脱落防止片８を突設したスペーサ脱落防止部材９を構成し、このスペーサ脱落防止部材９の水平片７をスペーサ６の上に載設すると共にスペーサ脱落防止片８の下端を架台２の側面に対向させ、上記スペーサ６、スペーサ脱落防止部材９の水平片７を介して架台２上に支持脚３の載設面部４を載設することが好ましい。このような構成とすることで、架台２の上面部に載設するスペーサ６の厚さや枚数を調整することで床パン１の高さ調整ができるものであり、しかも、スペーサ脱落防止部材９の水平片７をスペーサ６の上に載設すると共にスペーサ脱落防止片８の下端を架台２の側面に対向させることで、スペーサ６を架台２の上面に単に載設しただけのものであってもスペーサ６が架台２の上面から巾方向にずれ落ちるのをスペーサ脱落防止片８により防止できるものである。
【００１０】
【発明の実施の形態】
以下、本発明を添付図面に示す実施形態に基づいて説明する。
【００１１】
浴室ユニットの床を構成するための床パン１は下面部に複数の支持脚３を取付けてある。すなわち、図１に示すように、支持脚３は載設面部４の両端部より傾斜した側片１０をそれぞれ斜め上方向に向けて突設してあり、対向する両側片１０は対向間隔が上に向けて広がるように逆ハ字状に傾斜しており、両傾斜片１０の上端部に外側方に向けて固定片３１を一体に突設してある。上記の構成の支持脚３は金属製であり、この支持脚３の下面部である載設面部４の巾を架台２の巾よりも巾広としてあり、また、載設面部４の巾方向の両端部に下方に向けて脱落防止用の下向き片５が突設してある。一方、床パン１の下面部にはねじ具固着用突部１１が垂設してあり、支持脚３の固定片３１を床パン１の下面部のねじ具固着用突部１１に当ててねじ具１２により固着して取付けてある。
【００１２】
軸組み構造などの構造をした多層階の建物においてスラブがないため多層階の建物の梁１３に床パン１の荷重を支持させるようにして取付ける必要がある。このため、多層階の建物の１階と２階との間の梁１３、あるいは２階と３階との間の梁１３のような上下階間に位置する梁１３に図４に示すように架台２を架設する。建物の梁１３間に架設する架台２は、断面四角形状をした角型鋼管のような横架材１４の両端部に略Ｌ状をした引っ掛け固定部１５を上方に向けて突設して構成してある。そして、架台２の両端部の略Ｌ状をした引っ掛け固定部１５の横片１５ａを対向する梁１３の上面にそれぞれ載設して固着具により固着することで架台２を対向する梁１３間に架設する。このようにして対向する梁１３間に複数の架台２を架設し、床パン１の下面部に取付けた複数の支持脚３の下面部の載設面部４を架台２の上面に載設することで架台２に床パン１を載設支持するものである。
【００１３】
この場合、図１、図２に示すように載設面部４の巾方向の両端部に下方に向けて突設した脱落防止用の下向き片５がそれぞれ架台２の横架材１４の両側面の外側に位置し、脱落防止用の下向き片５により載設面部４が架台２の上面から滑り落ちるのを防止するようになっている。
【００１４】
ここで、必要に応じて図３に示すように、架台２の上面部にスペーサ６を載設して床パン１の支持脚３部分における高さ調整を行うのであるが、高さ調整はスペーサ６の枚数や厚み等を選択することで行うものである。
【００１５】
スペーサ６は架台２上に単に載設するのみで、固定はせずに施工性を高めている。このように架台２上に単にスペーサ６を載設するのみではスペーサ６が架台２の上面から側方にずり落ちるおそれがあるので、本発明においてはスペーサ６のずり落ちを防止するため、スペーサ脱落防止部材９を用いる。スペーサ脱落防止部材９は水平片７の両端部に下方に向けてスペーサ脱落防止片８を突設して構成してあり、水平片７の横巾はスペーサ６の横巾よりもやや広くなっている。そして、このスペーサ脱落防止部材９の水平片７をスペーサ６の上に載設すると共にスペーサ脱落防止片８の下端を架台２の側面に対向させ、スペーサ６が架台２に対して巾方向にずれようとしてもスペーサ脱落防止片８が架台２の側面に当たることで、スペーサ６が架台２の上面から巾方向にずれ落ちることがないものである。
【００１６】
このように架台２と支持脚３の載設面部４との間にスペーサ６を介在させた場合、図３に示すように、載設面部４の巾方向の両端部に下方に向けて突設した脱落防止用の下向き片５がそれぞれスペーサ脱落防止部材９の両側のスペーサ脱落防止片８の外側方に位置しているので、支持脚３の載設面部４が巾方向にずれても脱落防止用の下向き片５がスペーサ脱落防止片８に当たり、スペーサ脱落防止片８が架台２の側面に当たることで、載置面部４が架台２の巾方向に滑り落ちることが防止されるものである。
【００１７】
ところで、添付図面に示す実施形態においては、支持脚３の両側上部の固定片３１を固定するための対となったねじ具固着用突部１１間には床パン１の上下に開口する筒部１６が設けてあり、この筒部１６の下端部にはナット部１７が筒部１６と一体に連通固着してある。したがって、図５に示すようにねじ具固着用突部１１に支持脚３を固着することなく、ナット部１７に支持ボルト１８を螺合し、この支持ボルト１８を筒部１６の上開口からドライバーのような回転治具１９を挿入して支持ボルト１８を回転操作して床パン１の高さ調整を行うようにすることもできる。このものの場合にはスラブ２０や基礎を有する建物に適用でき、スラブ２０や基礎上に支持ボルト１８を載置し、床パン１の上方からドライバーのような回転治具１９を筒部１６の上開口から挿入して支持ボルト１８を回転操作して床パン１の高さ調整を行うものであり、高さ調整が終わると、筒部１６の上開口にキャップ２１を嵌め込んでキャップ２１の周囲をシリコン等のシール材でシールするものである。図中２３はロックナットである。
【００１８】
また、図６に示すように支持脚３の載置面部４にナット部２２を設け、このナット部２２に支持ボルト１８を螺挿し、この支持ボルト１８を筒部１６の上開口からドライバーのような回転治具１９を挿入し、筒部１６、ナット部１７を挿通して支持ボルト１８を回転操作して支持脚３の高さ調整を行うようにしてもよい。このものは上記と同様に支持ボルト１８をスラブ２０や基礎上に支持ボルト１８を載置し、床パン１の上方からドライバーのような回転治具１９を筒部１６の上開口から挿入して支持ボルト１８を回転操作して床パン１の高さ調整を行うものであり、高さ調整が終わると、筒部１６の上開口にキャップ２１を嵌め込んでキャップ２１の周囲をシリコン等のシール材でシールするものである。図中２４はロックナットである。
【００１９】
このようにすることで、床パン１を架台２に載設支持する場合、スラブ２０や基礎上に載設支持する場合に対応できるものである。
【００２０】
【発明の効果】
上記のように本発明の請求項１記載の発明にあっては、床パンの下面部を建物の梁間に架設した架台に載設支持する床パンの支持構造において、床パンの下面部に支持脚を取付け、この支持脚の下端面部を架台への載設面部とし、載設面部の巾を架台の巾よりも巾広とすると共に載設面部の巾方向の両端部に下方に向けて脱落防止用の下向き片を突設した床パンの支持構造であって、支持脚の架台の上面に載設される載設面部の両端部から側片を上側に向けて突設し、該支持脚の両側片の上端部に外側方に向けて固定片を突設し、床パンの下面部に対のねじ具固着用突部及び該ねじ具固着用突部間に位置して床パンの上下に開口してスラブや基礎上に載置される支持ボルトを螺合可能な筒部を設け、前記支持脚の各固定片を対のねじ具固着具用突部にねじ具により固着して取付けてあるので、架台の上面に床パンの下面部に取付けた支持脚の載設面部を載設する際に脱落防止用の下向き片により架台の上面の巾方向の一部にのみ載設面部が載設されるというようなことがなくて架台の上面の巾方向の全巾にわたって載設面部が載設されて安定して支持脚が架台上に載設されるものであり、また、脱落防止用の下向き片により載設面部が架台の上面から滑り落ちるのが防止でき、架台の上面に載置面部を載置する施工が容易に行えるとともに施工後のずれ落ちを確実に防止できるものである。
【００２１】
また、請求項２記載の発明にあっては、上記請求項１記載の発明の効果に加えて、架台の上面部にスペーサを載設し、水平片の両端部に下方に向けてスペーサ脱落防止片を突設したスペーサ脱落防止部材を構成し、このスペーサ脱落防止部材の水平片をスペーサの上に載設すると共にスペーサ脱落防止片の下端を架台の側面に対向させ、上記スペーサ、スペーサ脱落防止部材の水平片を介して架台上に支持脚の載設面部を載設してあるので、支持脚に特別に高さ調整機構を設けることなく架台の上面部に載設するスペーサの厚さや枚数を調整することで簡単に床パンの高さ調整ができるものであり、しかも、スペーサ脱落防止部材の水平片をスペーサの上に載設すると共にスペーサ脱落防止片の下端を架台の側面に対向させてあるので、スペーサを架台の上面に単に載設して構成を簡略化し且つ施工を容易にしたものであるにもかかわらずスペーサが架台の上面から巾方向にずれ落ちるのをスペーサ脱落防止片により確実に防止できるものである。
【図面の簡単な説明】
【図１】本発明の床パンの支持構造の正面断面図である。
【図２】同上の側面断面図である。
【図３】同上のスペーサを介在した状態の断面図である。
【図４】同上の梁間に架台を架設した状態の斜視図である。
【図５】同上の支持ボルトを取付けた例を示す断面図である。
【図６】同上の支持脚に支持ボルトを取付けた例を示す断面図である。
【符号の説明】
１  床パン
２  架台
３  支持脚
４  載設面部
５  脱落防止用の下向き片
６  スペーサ
７  水平片
８  スペーサ脱落防止片
９  スペーサ脱落防止部材
【図１】
0003876710.tif 000002
【図２】
0003876710.tif 000003
【図３】
0003876710.tif 000004
【図４】
0003876710.tif 000005
【図５】
0003876710.tif 000006
【図６】
0003876710.tif 000007